(57)【要約】【課題】  被施療者の両腕を施療することができる肘掛け部を有しながらも、家屋などの横幅の狭い玄関口や部屋の扉口に対してもつかえることがない、左右方向の横幅が短く簡潔な椅子式マッサージ機を提供することを課題とする。【解決手段】  被施療者が着座する座部２の外側に立設された内側仕切部１１と、内側仕切部１１の外側に立設された外側仕切部１２と、内側仕切部１１の外側面又は外側仕切部１２の内側面の少なくともいずれか一方に設けられた施療部１３と、内側仕切部１１及び外側仕切部１２の前方端部側に設けられた回動軸１４と、内側仕切部１１又は外側仕切部１２の少なくともいずれか一方が稼動する範囲を制限する規制部１５を備えた肘掛け部１を有し、内側仕切部１１と外側仕切部１２が、回動軸１４を支点にして被施療者の左右方向に開閉自在であるなどの椅子式マッサージ機により解決することができた。【選択図】図４
2019018073.tif 000002
【特許請求の範囲】
【請求項１】
被施療者が着座する座部の外側に立設された内側仕切部と、
前記内側仕切部の外側に立設された外側仕切部と、
前記内側仕切部の外側面又は前記外側仕切部の内側面の少なくともいずれか一方に設けられた施療部と、
前記内側仕切部及び前記外側仕切部の前方端部側に設けられた回動軸と、
前記内側仕切部又は前記外側仕切部の少なくともいずれか一方が稼動する範囲を制限する規制部を備えた肘掛け部を有し、
前記内側仕切部と前記外側仕切部が、前記回動軸を支点にして被施療者の左右方向に開閉自在であり、
前記規制部が、前記回動軸より後方に立設され、前記外側仕切部の外側面と当接しうる部材であることを特徴とする椅子式マッサージ機。
【請求項２】
前記内側仕切部の上側面又は前記外側仕切部の上側面の少なくともいずれか一方に設けられ、前腕を載置しうる上方載置部を備えることを特徴とする請求項１に記載の椅子式マッサージ機。
【請求項３】
前記施療部が、前方端部側から後方端部側の方向に複数連設されていることを特徴とする請求項１又は請求項２のいずれかに記載の椅子式マッサージ機。
【請求項４】
前記内側仕切部の外側面の下部又は前記外側仕切部の内側面の下部の少なくともいずれか一方に設けられ、前腕を載置しうる下方載置部を備えることを特徴とする請求項１から請求項３のいずれか一つに記載の椅子式マッサージ機。
【請求項５】
前記下方載置部に前記下方載置部を温める加温部が配設されていることを特徴とする請求項４に記載の椅子式マッサージ機。
【請求項６】
前記施療部が、空気による膨張及び収縮を反復可能であるエアーバッグであることを特徴とする請求項１から請求項５のいずれか一つに記載の椅子式マッサージ機。
【請求項７】
前記内側仕切部と前記外側仕切部が開閉する角度が、０〜４０°であることを特徴とする請求項１から請求項６のいずれか一つに記載の椅子式マッサージ機。
【発明の詳細な説明】
【技術分野】
【０００１】
本発明は、被施療者が座る座部と、被施療者が凭れ掛けることができる背凭れ部などを備えた椅子式マッサージ機であって、被施療者の腕部を施療することができる肘掛け部も備える椅子式マッサージ機に関するものである。
【背景技術】
【０００２】
従来、椅子式マッサージ機において、傾倒可能な背凭れ部、座部、肘掛け部などを具備し、人体の腰部、背部、頸部、臀部、腕部などをマッサージするために電力により駆動する揉み玉や、圧縮空気を用いた空気圧の変化によって膨張又は収縮する袋体が内装されたものが広く知られている。
【０００３】
例えば、特許文献１には、腰掛けを可能とする座部と、座部の両側に被施療者の両腕を施療するための肘掛け部が開示されており、さらに、肘掛け部を構成する内側立上り壁と外側立上り壁が所定の間隔を保ち設けられている態様も開示されている。
【先行技術文献】
【特許文献】
【０００４】
【特許文献１】特開２０１３−２２４０４号
【発明の概要】
【発明が解決しようとする課題】
【０００５】
しかしながら、特許文献１のマッサージ機では、肘掛け部を構成する内側立上り壁と外側立上り壁が所定の間隔を保ち設けられているので左右方向の横幅が広くなるために、マッサージ機を家庭などに搬入する際に横幅の狭い玄関口や部屋の扉口にマッサージ機がつかえてしまい、所望の場所に移動させることが困難な場合があった。
【０００６】
本発明は、上記の問題点に鑑みて発明されたものであり、被施療者の両腕を施療することができる肘掛け部を有しながらも、家屋などの横幅の狭い玄関口や部屋の扉口に対してもつかえることがない、左右方向の横幅が短く簡潔な椅子式マッサージ機を提供することを課題とする。
【課題を解決するための手段】
【０００７】
〔１〕すなわち、本発明は、被施療者が着座する座部の外側に立設された内側仕切部と、前記内側仕切部の外側に立設された外側仕切部と、前記内側仕切部の外側面又は前記外側仕切部の内側面の少なくともいずれか一方に設けられた施療部と、前記内側仕切部及び前記外側仕切部の前方端部側に設けられた回動軸と、前記内側仕切部又は前記外側仕切部の少なくともいずれか一方が稼動する範囲を制限する規制部を備えた肘掛け部を有し、前記内側仕切部と前記外側仕切部が、前記回動軸を支点にして被施療者の左右方向に開閉自在であり、前記規制部が、前記回動軸より後方に立設され、前記外側仕切部の外側面と当接しうる部材であることを特徴とする椅子式マッサージ機である。
【０００８】
〔２〕そして、前記内側仕切部の上側面又は前記外側仕切部の上側面の少なくともいずれか一方に設けられ、前腕を載置しうる上方載置部を備えることを特徴とする前記〔１〕に記載の椅子式マッサージ機である。
【０００９】
〔３〕そして、前記施療部が、前方端部側から後方端部側の方向に複数連設されていることを特徴とする前記〔１〕又は前記〔２〕のいずれかに記載の椅子式マッサージ機である。
【００１０】
〔４〕そして、前記内側仕切部の外側面の下部又は前記外側仕切部の内側面の下部の少なくともいずれか一方に設けられ、前腕を載置しうる下方載置部を備えることを特徴とする前記〔１〕から前記〔３〕のいずれか一つに記載の椅子式マッサージ機である。
【００１１】
〔５〕そして、前記下方載置部に前記下方載置部を温める加温部が配設されていることを特徴とする前記〔４〕に記載の椅子式マッサージ機である。
【００１２】
〔６〕そして、前記施療部が、空気による膨張及び収縮を反復可能であるエアーバッグであることを特徴とする前記〔１〕から前記〔５〕のいずれか一つに記載の椅子式マッサージ機である。
【００１３】
〔７〕そして、前記内側仕切部と前記外側仕切部が開閉する角度が、０〜４０°であることを特徴とする前記〔１〕から前記〔６〕のいずれか一つに記載の椅子式マッサージ機である。
【発明の効果】
【００１４】
本発明の椅子式マッサージ機によれば、左右方向の横幅が短いので、被施療者の両腕を施療することができる肘掛部を有しながらも、家屋などの横幅の狭い玄関口や部屋の扉口に対してもつかえることがなく搬入することができる。
【図面の簡単な説明】
【００１５】
【図１】本件発明の椅子式マッサージ機の一実施形態を示す全体斜視図である。
【図２】本件発明の椅子式マッサージ機の左側の肘掛け部において外装カバーを取り外し閉じた状態の平面図である。
【図３】本件発明の椅子式マッサージ機の左側の肘掛け部において外装カバーを取り外し開いた状態の平面図である。
【図４】本件発明の椅子式マッサージ機の左側の肘掛け部において外装カバーを取り外し前方斜め上から俯瞰した斜視図である。
【図５】図４における回動軸、規制部の周辺を拡大した部分拡大図である。
【図６】本件発明の椅子式マッサージ機の左側の肘掛け部において外装カバーを取り外し後方の上方から俯瞰した斜視図である。
【発明を実施するための形態】
【００１６】
以下、本発明の椅子式マッサージ機を、図面に示す一実施形態に基づいてこれを詳細に説明する。図１は本件発明の椅子式マッサージ機の一実施形態を示す全体斜視図である。そして、図２から図５は、本件発明の椅子式マッサージ機の左側の肘掛け部において内部を見やすくするために外装カバーを取り外し、内側仕切部及び外側仕切部が閉じた状態又は開いた状態を示した図である。また、説明中における前後方向、左右方向、上下方向は、座部に着座した被施療者を基準としており、図２、図３における右側が外側（左方向）、紙面手前側が上方、紙面奥側が下方、上側が後方、下側が前方に相当する。
【００１７】
本件発明の椅子式マッサージ機は、図１に示すように座部２と、座部２の左右の外側に配設された肘掛け部１と、座部２の後方に背凭れ部３と、肘掛け部１及び座部２の前方、すなわち被施療者が座部２に着座としたときに顔が向いている方向に、脚載置部４が座部２に近設されている。そして、肘掛け部１と、座部２と、背凭れ部３と、脚載置部４の土台となる基台６が接地している。
【００１８】
そして、背凭れ部３には、被施療者の頭部、頸部、背部、臀部などに対して押圧等のマッサージを行うために、被施療者の手元で操作できる遠隔制御装置などの制御装置等により、背凭れ部３の中央を電動で上下に移動させることができる背部施療子５を有している。そして、制御装置に内蔵された種々のプログラムによって、マッサージ箇所、マッサージの強度、マッサージの仕方、施療時間などを調整することができる。
【００１９】
そして、脚載置部４には、図示しないエアーバッグなどの施療部が設けられており、制御装置に内蔵された種々のプログラムによって、背凭れ部３に設けられた背部施療子５と連動して、又は独立して、脚載置部４に設けられた施療部によって被施療者の左右の腿、脛、足などを複合的にマッサージすることができる。
【００２０】
また、脚載置部４が座部２の前方に設けられているために、制御装置に内蔵された種々のプログラムによって、自動で又は手動で座部２に対して回動することができる。例えば、背凭れ部３が立設しているときには、図１に示すように、脚載置部４を座部２に対して略直角になるようにし、背凭れ部３が傾倒しているときには、脚載置部４を座部２に対して略直角に位置するようにすることもできるし、座部２に対して略水平となるように位置することもできる。
【００２１】
そして、図２から図６に示すように、図１の状態から肘掛け部１のみを取り出し、最も外側にある外装カバー１９を取り外した状態において、肘掛け部１は、座部２の外側に立設された内側仕切部１１と、内側仕切部１１の外側に立設された外側仕切部１２を備えており、固設された内側仕切部１１に対して外側仕切部１２が、接近したり離れたりして開閉する。内側仕切部１１に対して外側仕切部１２が離れたときに生じる空間に被施療者の腕部を挿入することにより、その腕部を施療することができる。なお、図２から図６では、椅子式マッサージ機の左側の肘掛け部１を示しているが、右側の肘掛け部１は左側の肘掛け部１と対称な構造を有しているので省略している。
【００２２】
内側仕切部１１は、被施療者が着座する座部の外側に立設された部材である。本実施形態において、座部２に対して略垂直に立設し座部２の側面に沿った略板状の内側基部１１ａと、内側基部１１ａの前方に内側基部１１ａの外側に向かって延設され回動軸１４を挟持する回動軸支持部１１ｂと、回動軸支持部１１ｂの後方に内側基部１１ａの外側に向かって延設され規制部１５を挟持する規制部支持部１１ｃを備えている。
【００２３】
また、内側仕切部１１は、内側基部１１ａの下部に内側基部１１ａの長手方向に沿い外側に向かって延設された下方載置部１８を備えている。下方載置部１８は、被施療者が腕を施療するなどのときに、その腕を載置することができる箇所であり、長時間であっても疲れることなくその腕の施療を行うことができる。なお、本実施形態において、下方載置部１８は、内側仕切部１１にのみ設けられているが、他の実施形態において、外側仕切部１２の外側基部１２ａの下部のみ、又は、内側基部１１ａの下部及び外側基部１２ａの下部の両方に設けることもできる。
【００２４】
さらに、下方載置部１８には、下方載置部１８を温める図示しない加温部が内設されていてもよい。加温部としては、例えば、電源から供給される電流により発熱するニクロム線などの電熱線を使用することができ、寒い時期などに使用するときに被施療者の手部、腕部などの前腕を温めることができる。加温するか否かのスイッチが、被施療者の手元で操作できる遠隔制御装置などの制御装置等に設けられていることが好ましい。
【００２５】
内側仕切部１１の内側基部１１ａの上部の一部が左右方向に所定の幅を有し略平坦である上方載置部１７である。被施療者が腕を施療しないとき、すなわち、内側仕切部１１と外側仕切部１２が閉じているときには、内側基部１１ａの上部の上方載置部１７と外装カバー１９の上部の上方載置部１７´に被施療者は腕を載置しておくことができる。内側仕切部１１と外側仕切部１２が閉じているときに被施療者の腕を載置しておくようにすることで、腕を載置しておける場所を確保しながらも椅子式マッサージ機の左右方向の幅を短くすることができるので、比較的狭い玄関口などでもスムーズに椅子式マッサージ機を搬入又は搬出することができる。
【００２６】
外側仕切部１２は、内側仕切部１１の外側に立設された部材である。本実施形態において、内側基部１１ａと略平行な略板状の外側基部１２ａが設けられており、外側基部１２ａの前方に回動軸支持部１１ｂが貫通する回動軸支持部貫通孔１２ｂ及び規制部支持部１１ｃが貫通する規制部支持部貫通孔１２ｃが穿設されている。
【００２７】
また、外側仕切部１２は、外側基部１２ａの外側に向かって付設され回動軸１４を挿通する２つの回動軸挿通部１２ｄを備えている。これにより、外側仕切部１２は、回動軸１４を基点にして内側仕切部１１に対して接近したり離れたりして開閉することができる。さらに、２つの回動軸挿通部１２ｄには、外側基部１２ａの外側に向かって突設され付勢手段１６である弾性バネの一端を固定する付勢手段保持部１２ｅが設けられている。
【００２８】
図１に示す外装カバー１９は、図２から図６の外側仕切部１２の外側に回動軸１４、規制部１５を覆うように取り付けられる。外装カバー１９の上部が左右方向に所定の幅を有し略平坦である上方載置部１７´である。被施療者が腕を施療しないとき、すなわち、内側仕切部１１と外側仕切部１２が閉じているときには、内側基部１１ａの上部の上方載置部１７と外装カバー１９の上部の上方載置部１７´に被施療者は腕を載置しておくことができる。なお、本実施形態において、上方載置部１７、１７´が、内側基部１１ａの上部の一部及び外装カバー１９の上部に設けられているが、内側基部１１ａの上部又は外装カバー１９の上部の少なくとも一方に設けられていてもよく、さらに、平坦な形状だけでなく湾曲した形状であってもよい。
【００２９】
図２から図６に示すように、施療部１３は、内側仕切部１１の外側面及び外側仕切部１２の内側面、すなわち、内側仕切部１１及び外側仕切部１２の互いに対向する面に固設され、被施療者の手部、腕部などをマッサージする部材である。本実施形態において、施療部１３は、図示しない円筒などの形状の管を介して図示しない給気排気装置に繋がれ、膨張及び収縮が可能であるエアーバッグとして構成されており、内側仕切部１１及び外側仕切部１２にそれぞれ２個ずつ前後方向に並設されている。本実施形態において、施療部１３が内側仕切部１１及び外側仕切部１２にそれぞれ２個ずつ前後方向に並設されているが、他の実施形態において、１個の横長のエアーバッグを固設することができるし、また、３、４、５、６個など複数個前後方向に並設することもできる。２個以上の複数個の施療部１３が並設されていると、被施療者の腰部、臀部などに対して複雑で効果的なマッサージを行うことができる。
【００３０】
また、本実施形態において、施療部３として膨張及び収縮が可能であるエアーバッグが設けられているが、他の実施形態において、電力により駆動する偏心モーターなどを備えることにより、被施療者に振動を与える振動器、また、同様に電力により駆動し、背部施療子５のような球形状、楕円球状、閉曲面からなる立体形状などの形状を有し被施療者の手部、腕部などの前腕を押圧する一対の施療子などを用いることができる。また、膨張及び収縮を反復可能であるエアーバッグ、被施療者に振動を与える振動器、被施療者を押圧する施療子を、単独で、又は２つ以上組み合わせて用いることもできる。
【００３１】
図２から図５に示すように、回動軸１４は、内側仕切部１１及び外側仕切部１２の前方端部側に設けられた棒状の部材である。本実施形態において、回動軸１４は、上下方向に立設し、２箇所の回動軸支持部１１ｂに挟持されるとともに、回動軸挿通部１２ｄに穿設された略円形状の孔に挿通されている。このため、外側仕切部１２は、回動軸１４を中心に内側仕切部１１に対して開閉自在となっている。
【００３２】
図２から図５に示すように、規制部１５は、内側仕切部１１又は外側仕切部１２の少なくともいずれか一方が稼動する範囲を制限する部材である。本実施形態において、規制部１５は、上下方向に立設し、２箇所の規制部支持部１１ｃに挟持され、外側仕切部１２の外側に位置するように設けられている。これにより、外側仕切部１２は、回動軸１４を中心に内側仕切部１１に対して開くように移動するとき、規制部１５と当接し規制部１５より外側には移動することができなくなるため、椅子式マッサージ機の左右に配置された家具や居合わせた人などと衝突せず家具や人などを傷つけることがない。そして、規制部１５により内側仕切部１１及び外側仕切部１２の開閉する角度が、０〜４０°であることが好ましく、０〜２０°であることがさらに好ましく、０〜１０°であることが最も好ましい。規制部１５の位置を適宜設計することにより、このような開閉角度とすることができる。内側仕切部１１及び外側仕切部１２の開閉する角度をこのような範囲とすることにより、外側仕切部１２が椅子式マッサージ機の左右に大きく開き過ぎず家具等との干渉が起こらないために、家庭などにより設置しやすくなる。
【００３３】
また、規制部１５には、外周側面に内側に窪んだ規制部溝１５ａが設けられている。規制部溝１５ａに、付勢手段１６である弾性バネの他端を嵌合させることにより規制部１５に沿って上下せず、付勢手段１６の他端が、付勢手段１６の付勢方向が一定となる。
【００３４】
図２から図５に示すように、付勢手段１６は、一端が外側仕切部１２に、他端が規制部１５に設けられ、内側仕切部１１と前記外側仕切部とが閉じる方向に付勢する部材である。本実施形態において、付勢手段１６は、コイル状の弾性バネであり、一端と他端にはＵ字状の引っかかり部分を備えている。付勢手段１６の一端は、外側仕切部１２の一部である付勢手段保持部１２ｅと係止しており、他端は、規制部１５の規制部溝１５ａで係止している。
【００３５】
図２に示す内側仕切部１１と外側仕切部１２が閉じた状態から、図３に示す内側仕切部１１と外側仕切部１２が開いた状態に変化すると、図４に示すように付勢手段保持部１２ｅは回動軸１４より前方側に位置しているので内側仕切部１１に近づき、そして、規制部１５は移動しないために、付勢手段保持部１２ｅと規制部１５の間の距離が伸びるために付勢手段１６である弾性バネも自身の付勢力に抗って伸びることとなる。そのため、付勢手段１６である弾性バネの付勢力が働くため、付勢手段保持部１２ｅと規制部１５の間の距離が縮む方向、すなわち、内側仕切部１１と前記外側仕切部とが閉じる方向に、外側仕切部１２が移動する。
【符号の説明】
【００３６】
１・・・肘掛け部
１１・・・内側仕切部
１１ａ・・・内側基部
１１ｂ・・・回動軸支持部
１１ｃ・・・規制部支持部
１２・・・外側仕切部
１２ａ・・・外側基部
１２ｂ・・・回動軸支持部貫通孔
１２ｃ・・・規制部支持部貫通孔
１２ｄ・・・回動軸挿通部
１２ｅ・・・付勢手段保持部
１３・・・施療部
１４・・・回動軸
１５・・・規制部
１５ａ・・・規制部溝
１６・・・付勢手段
１７、１７´・・・上方載置部
１８・・・下方載置部
１９・・・外装カバー
２・・・座部
３・・・背凭れ部
４・・・脚載置部
５・・・背部施療子
６・・・基台
【図１】
2019018073.tif 000003
【図２】
2019018073.tif 000004
【図３】
2019018073.tif 000005
【図４】
2019018073.tif 000006
【図５】
2019018073.tif 000007
【図６】
2019018073.tif 000008